(57)【要約】【課題】  色データの色相が変化することを低減しつつ、容易に色データを処理する。【解決手段】  等色相曲面データは、ａ＊ｂ＊平面と交差曲線Ｐで交差して無彩色軸方向（Ｌ＊）に伸びる等色相曲面上の複数のサンプルデータから構成される。等色相曲面データの最高彩度のサンプルデータと無彩色軸上の色データとの間の彩度（中彩度）を有するサンプルデータのいずれかを、等色相曲面データから例えば１つ選択し、交差曲線Ｐの無彩色軸から高彩度方向に略直線的に伸びる部分に該当するサンプルデータを選択データＱとして選択する。選択されたサンプルデータと無彩色軸とを含む半平面を補正のための基準半平面Ｒとして設定し、基準半平面Ｒに対してサンプルデータの色相角を補正した後にマッピングを行う。【選択図】          図４
2006270518.tif 000002
【特許請求の範囲】
【請求項１】
同一色相の少なくとも彩度が異なる複数の色データの中から、所定の彩度の色データよりも彩度が低い色データを少なくとも１つ選択し、選択した色データ及び無彩色データに基づいて色相角を設定し、設定した色相角に対して前記複数の色データの色相の歪みを補正し、色相の歪みを補正した複数の色データを、所定の色域を有するデバイスの色域に属する複数の色データにマッピングすることを特徴とする色データ処理方法。
【請求項２】
同一色相の少なくとも彩度が異なる複数の色データの中から、所定の彩度の色データよりも彩度が低い色データを少なくとも１つ選択し、選択した色データ及び無彩色軸に基づいて半平面を設定し、設定した半平面に対して前記複数の色データの色相の歪みを補正し、色相の歪みを補正した複数の色データを、所定の色域を有するデバイスの色域に属する複数の色データにマッピングすることを特徴とする色データ処理方法。
【請求項３】
所定の彩度以下の色データに対する補正量が最小となるように、前記半平面を設定することを特徴とする請求項２記載の色データ処理方法。
【請求項４】
前記複数の色データの色相の歪みを、彩度及び明度を保持しつつ補正することを特徴とする請求項１乃至３いずれか記載の色データ処理方法。
【請求項５】
前記複数の色データは、デバイス非依存色空間上のデータであることを特徴とする請求項１乃至４いずれか記載の色データ処理方法。
【請求項６】
前記複数の色データは、均等色空間上のデータであることを特徴とする請求項１乃至５いずれか記載の色データ処理方法。
【請求項７】
前記複数の色データは、所定のデバイスの色域に対応することを特徴とする請求項１乃至６いずれか記載の色データ処理方法。
【請求項８】
１つ以上の同一色相ごとに、複数の色データの色相の歪みを補正することを特徴とする請求項１乃至７いずれか記載の色データ処理方法。
【請求項９】
色相の歪みを補正した複数の色データを、所定の色域を有するデバイスの色域に属する複数の色データに、無彩色軸に向かう半直線上でマッピングすることを特徴とする請求項１乃至８いずれか記載の色データ処理方法。
【請求項１０】
所定の色域を有するデバイスの色域に属する複数の色データにマッピングされた色データを、少なくとも彩度を保持しつつ、色相歪み補正前の色相と同一色相の色データにすることを特徴とする請求項１乃至９いずれか記載の色データ処理方法。
【請求項１１】
同一色相の少なくとも彩度が異なる複数の色データの中から、所定の彩度の色データよりも彩度が低い色データを少なくとも１つ選択する選択手段と、この選択手段が選択した色データ、及び無彩色データに基づいて色相角を設定する色相角設定手段と、この色相角設定手段が設定した色相角に対して、複数の色データの色相の歪みを補正する補正手段と、この補正手段が色相の歪みを補正した複数の色データを、所定の色域を有するデバイスの色域に属する複数の色データにマッピングするマッピング手段とを有することを特徴とする色データ処理システム。
【請求項１２】
同一色相の少なくとも彩度が異なる複数の色データの中から、所定の彩度の色データよりも彩度が低い色データを少なくとも１つ選択する選択手段と、この選択手段が選択した色データ、及び無彩色軸に基づいて半平面を設定する半平面設定手段と、この半平面設定手段が設定した半平面に対して、複数の色データの色相の歪みを補正する補正手段と、この補正手段が色相の歪みを補正した複数の色データを、所定の色域を有するデバイスの色域に属する複数の色データにマッピングするマッピング手段とを有することを特徴とする色データ処理システム。
【請求項１３】
前記半平面設定手段は、所定の彩度以下の色データに対して、前記補正手段が補正する補正量が最小となるように、半平面を設定することを特徴とする請求項１２記載の色データ処理システム。
【請求項１４】
前記補正手段は、複数の色データの色相の歪みを、彩度及び明度を保持しつつ補正することを特徴とする請求項１２又は１３記載の色データ処理システム。
【請求項１５】
前記選択手段が選択する複数の色データは、デバイス非依存色空間上のデータであることを特徴とする請求項１２乃至１４いずれか記載の色データ処理システム。
【請求項１６】
前記選択手段が選択する複数の色データは、均等色空間上のデータであることを特徴とする請求項１２乃至１５いずれか記載の色データ処理システム。
【請求項１７】
前記選択手段が選択する複数の色データは、所定のデバイスの色域に対応することを特徴とする請求項１２乃至１６いずれか記載の色データ処理システム。
【請求項１８】
前記補正手段は、１つ以上の同一色相ごとに、複数の色データの色相の歪みを補正することを特徴とする請求項１２乃至１７いずれか記載の色データ処理システム。
【請求項１９】
前記マッピング手段は、色データを無彩色軸に向かう半直線上でマッピングすることを特徴とする請求項１１乃至１８いずれか記載の色データ処理システム。
【請求項２０】
前記マッピング手段がマッピングした色データを、少なくとも彩度を保持しつつ、色相歪み補正前の色相と同一色相の色データにする逆補正手段をさらに有することを特徴とする請求項１１乃至１９いずれか記載の色データ処理システム。
【請求項２１】
同一色相の少なくとも彩度が異なる複数の色データの中から、所定の彩度の色データよりも彩度が低い色データを少なくとも１つ選択するステップと、選択した色データ及び無彩色軸に基づいて半平面を設定するステップと、設定した半平面に対して前記複数の色データの色相の歪みを補正するステップと、色相の歪みを補正した複数の色データを、所定の色域を有するデバイスの色域に属する複数の色データにマッピングするステップとをコンピュータに実行させる色データ処理プログラム。
【請求項２２】
同一色相の少なくとも彩度が異なる複数の色データの中から、所定の彩度の色データよりも彩度が低い色データを少なくとも１つ選択するステップと、選択した色データ及び無彩色軸に基づいて半平面を設定するステップと、設定した半平面に対して前記複数の色データの色相の歪みを補正するステップと、色相の歪みを補正した複数の色データを、所定の色域を有するデバイスの色域に属する複数の色データにマッピングするステップとをコンピュータに実行させるための色データ処理プログラムを記録したコンピュータ読み取り可能な記録媒体。
【発明の詳細な説明】
【技術分野】
【０００１】
本発明は、色データを処理する色データ処理方法、色データ処理システム、色データ処理プログラム及びこれを記録した記録媒体に関するものである。
【背景技術】
【０００２】
色再現域が異なる複数のデバイスによって色を再現する場合に、一方のデバイスにより再現された色を、他方のデバイスの色域内の色にマッピングする色域マッピング装置が知られている。この種の色域マッピング装置において、デバイス非依存色空間の無彩色軸を含む等色相の曲面上の色信号を、最高彩度の色信号と無彩色軸を含む半平面上の色信号に補正し、色域マッピングによる色相の変化を低減することは公知である（特許文献１参照）。
【０００３】
【特許文献１】特開２００４−１０４７７７号公報
【発明の開示】
【発明が解決しようとする課題】
【０００４】
しかしながら、上記従来例においては、等色相の曲面上の色信号を、最高彩度の色信号と無彩色軸を含む半平面上の色信号に補正するので、色空間全域に対する中彩度域の知覚均等性を十分に保存することができないという問題があった。
【０００５】
そこで、本発明は、色データの色相が変化することを低減しつつ、容易に色データを処理することができる色データ処理方法、色データ処理システム、色データ処理プログラム及びこれを記録した記録媒体を提供することを目的とする。
【課題を解決するための手段】
【０００６】
上記目的を達成するため、本発明の第１の特徴とするところは、同一色相の少なくとも彩度が異なる複数の色データの中から、所定の彩度の色データよりも彩度が低い色データを少なくとも１つ選択し、選択した色データ及び無彩色データに基づいて色相角を設定し、設定した色相角に対して前記複数の色データの色相の歪みを補正し、色相の歪みを補正した複数の色データを、所定の色域を有するデバイスの色域に属する複数の色データにマッピングする色データ処理方法にある。即ち、最高彩度の色データよりも彩度が低い色データが少なくとも１つ選択されるので、最高彩度の色データに基づく色相の歪補正になることがない。また、色相角に対して複数の色データの色相の歪みが補正されるので、色データの色相が変化することを低減しつつ、所定の色域を有するデバイスの色域に属する色データに対して容易にマッピングすることができる。
【０００７】
また、本発明の第２の特徴とするところは、同一色相の少なくとも彩度が異なる複数の色データの中から、所定の彩度の色データよりも彩度が低い色データを少なくとも１つ選択し、選択した色データ及び無彩色軸に基づいて半平面を設定し、設定した半平面に対して前記複数の色データの色相の歪みを補正し、色相の歪みを補正した複数の色データを、所定の色域を有するデバイスの色域に属する複数の色データにマッピングする色データ処理方法にある。即ち、最高彩度の色データよりも彩度が低い色データが少なくとも１つ選択されるので、最高彩度の色データに基づく色相の歪補正になることがない。また、選択した色データ及び無彩色軸に基づく半平面は、無彩色軸から同一色相方向に延びる半平面になり、同一色相方向に対して複数の色データの色相の歪みが補正されるので、色データの色相が変化することを低減しつつ、所定の色域を有するデバイスの色域に属する色データに対して容易にマッピングすることができる。
【０００８】
好適には、所定の彩度以下の色データに対する補正量が最小となるように、前記半平面を設定する。また、好適には、前記複数の色データの色相の歪みを、彩度及び明度を保持しつつ補正する。また、好適には、前記複数の色データは、デバイス非依存色空間上のデータである。
【０００９】
また、好適には、前記複数の色データは、均等色空間上のデータである。したがって、複数の色データの処理を容易にすることができる。
【００１０】
また、好適には、前記複数の色データは、所定のデバイスの色域に対応する。また、好適には、１つ以上の同一色相ごとに、複数の色データの色相の歪みを補正する。
【００１１】
また、好適には、色相の歪みを補正した複数の色データを、所定の色域を有するデバイスの色域に属する複数の色データに、無彩色軸に向かう半直線上でマッピングする。また、好適には、所定の色域を有するデバイスの色域に属する複数の色データにマッピングされた色データを、少なくとも彩度を保持しつつ、色相歪み補正前の色相と同一色相の色データにする。即ち、色相歪み補正前の色相を保持しつつ、マッピングを行うことができる。
【００１２】
また、本発明の第３の特徴とするところは、同一色相の少なくとも彩度が異なる複数の色データの中から、所定の彩度の色データよりも彩度が低い色データを少なくとも１つ選択する選択手段と、この選択手段が選択した色データ、及び無彩色データに基づいて色相角を設定する色相角設定手段と、この色相角設定手段が設定した色相角に対して、複数の色データの色相の歪みを補正する補正手段と、この補正手段が色相の歪みを補正した複数の色データを、所定の色域を有するデバイスの色域に属する複数の色データにマッピングするマッピング手段とを有する色データ処理システムにある。
【００１３】
また、本発明の第４の特徴とするところは、同一色相の少なくとも彩度が異なる複数の色データの中から、所定の彩度の色データよりも彩度が低い色データを少なくとも１つ選択する選択手段と、この選択手段が選択した色データ、及び無彩色軸に基づいて半平面を設定する半平面設定手段と、この半平面設定手段が設定した半平面に対して、複数の色データの色相の歪みを補正する補正手段と、この補正手段が色相の歪みを補正した複数の色データを、所定の色域を有するデバイスの色域に属する複数の色データにマッピングするマッピング手段とを有する色データ処理システムにある。
【００１４】
好適には、前記半平面設定手段は、所定の彩度以下の色データに対して、前記補正手段が補正する補正量が最小となるように、半平面を設定する。
【００１５】
また、好適には、前記補正手段は、複数の色データの色相の歪みを、彩度及び明度を保持しつつ補正する。また、好適には、前記選択手段が選択する複数の色データは、デバイス非依存色空間上のデータである。また、好適には、前記選択手段が選択する複数の色データは、均等色空間上のデータである。また、好適には、前記選択手段が選択する複数の色データは、所定のデバイスの色域に対応する。また、好適には、前記補正手段は、１つ以上の同一色相ごとに、複数の色データの色相の歪みを補正する。
【００１６】
また、好適には、前記マッピング手段は、色データを無彩色軸に向かう半直線上でマッピングする。また、好適には、前記マッピング手段がマッピングした色データを、少なくとも彩度を保持しつつ、色相歪み補正前の色相と同一色相の色データにする逆補正手段をさらに有する。
【００１７】
また、本発明の第５の特徴とするところは、同一色相の少なくとも彩度が異なる複数の色データの中から、所定の彩度の色データよりも彩度が低い色データを少なくとも１つ選択するステップと、選択した色データ及び無彩色軸に基づいて半平面を設定するステップと、設定した半平面に対して前記複数の色データの色相の歪みを補正するステップと、色相の歪みを補正した複数の色データを、所定の色域を有するデバイスの色域に属する複数の色データにマッピングするステップとをコンピュータに実行させる色データ処理プログラムにある。
【００１８】
また、本発明の第６の特徴とするところは、同一色相の少なくとも彩度が異なる複数の色データの中から、所定の彩度の色データよりも彩度が低い色データを少なくとも１つ選択するステップと、選択した色データ及び無彩色軸に基づいて半平面を設定するステップと、設定した半平面に対して前記複数の色データの色相の歪みを補正するステップと、色相の歪みを補正した複数の色データを、所定の色域を有するデバイスの色域に属する複数の色データにマッピングするステップとをコンピュータに実行させるための色データ処理プログラムを記録したコンピュータ読み取り可能な記録媒体にある。
【発明の効果】
【００１９】
本発明によれば、色データの色相が変化することを低減しつつ、容易に色データを処理することができる。
【発明を実施するための最良の形態】
【００２０】
次に本発明の実施形態を図面に基づいて説明する。
図１において、本発明の実施形態に係る色データ処理システム１の概要が示されている。色データ処理システム１は、例えば制御装置２がネットワーク３を介して画像出力部４に接続されることによって構成され、例えばフルカラーの画像処理及び画像形成の機能を有する。画像出力部４は、複数の画像出力装置からなり、例えば印刷装置４０−１，４０−２及び表示装置４２を有する。印刷装置４０−１，４０−２及び表示装置４２は、それぞれ色再現域（色域）が異なり、制御装置２の制御によってカラー画像を出力する。
【００２１】
図２において、制御装置２の構成が示されている。
制御装置２は、例えばＰＣ（Personal Computer）などであり、入力部２０、表示部２２、記憶部２４、通信部２６及び制御装置本体２８から構成され、例えばＣＤ−ＲＯＭなどの記録媒体２４０などから供給されるソフトウェアによって動作し、画像出力部４を制御する。入力部２０は、キーボード及びマウスなどの入力装置を有し、色データ処理システム１に対するユーザの指示を受入れる。表示部２２は、ＣＲＴ表示装置又はＬＣＤ表示装置であり、制御装置２における処理結果、及び画像出力部４から受入れた信号に対する表示を行なう。なお、表示部２２と表示装置４２とは、色再現域が異なる。
【００２２】
記憶部２４は、色データ処理システム１を構成する各部を制御するプログラム、表示部２２及び画像出力部４のプロファイルなどのデータベース、色データ処理システム１に対する設定、並びに制御装置２によって作成されたデータなどを記憶する。通信部２６は、ネットワーク３を介して画像出力部４と制御装置本体２８とを接続する。制御装置本体２８は、ＣＰＵ２８０及びメモリ２８２を有し、制御装置２を構成する各部を制御する。
【００２３】
次に、制御装置２により実行される色データ処理プログラムの例について説明する。
図３は、制御装置２により実行される色相角補正データ算出プログラム５の構成を示すプログラム構成図である。
図４は、色相角補正データ算出プログラム５による色データ処理例を示すＬ＊ａ＊ｂ＊表色系（ＣＩＥＬＡＢ）のａ＊ｂ＊平面例である。
図３に示すように、色相角補正データ算出プログラム５は、例えば等色相曲面データ取得部５０、中彩度データ選択部５２、基準半平面（色相角）設定部５４、離散補正ベクトル算出部５６、プロファイルデータベース６０及び等色相データベース６２から構成される。
プロファイルデータベース６０は、表示部２２、印刷装置４０−１，４０−２及び表示装置４２それぞれのプロファイルを含むデータベースであり、例えば記憶部２４に記憶されている。等色相データベース６２は、例えば色相ごとに知覚実験により求められた複数の等色相データを含むデータベースであり、例えば記憶部２４に記憶されている。
【００２４】
等色相曲面データ取得部５０は、例えばプロファイルデータベース６０から表示部２２などのデバイス（第１デバイス）のプロファイルを受け入れ、等色相データベース６２から等色相データを受け入れることにより、第１デバイスの色域に対する複数の等色相曲面データを取得し、中彩度データ選択部５２、基準半平面設定部５４及び離散補正ベクトル算出部５６などに対して出力する。等色相曲面データは、図４に例示するように、ａ＊ｂ＊平面と交差曲線Ｐで交差して無彩色軸方向（Ｌ＊）に伸びる等色相曲面上の複数のサンプルデータから構成される。
【００２５】
中彩度データ選択部５２は、例えばユーザによる指定などに応じて、等色相曲面データの最高彩度のサンプルデータと無彩色軸上の色データとの間の彩度（中彩度）を有するサンプルデータのいずれかを、等色相曲面データから例えば１つ選択し、基準半平面設定部５４に対して出力する。図４に例示するように、等色相曲面データが４つのサンプルデータから構成されている場合、中彩度データ選択部５２は、例えば交差曲線Ｐの無彩色軸から高彩度方向に略直線的に伸びる部分に該当するサンプルデータを選択データＱとして選択する。選択データＱは、等色相曲面において例えば低彩度側のサンプルデータになっている。
【００２６】
基準半平面設定部５４は、中彩度データ選択部５２により選択されたサンプルデータと無彩色軸とを含む半平面を補正のための基準半平面Ｒとして設定し、離散補正ベクトル算出部５６に対して出力する。つまり、基準半平面Ｒとａ＊ｂ＊平面との交線は、選択データＱの色相角θと同じ色相角の半直線になり、選択データＱは、等色相曲面データの色相角を補正するための基準明度及び基準彩度における等色相曲面と基準半平面Ｒとの共通点になっている。
【００２７】
離散補正ベクトル算出部５６は、等色相曲面データを構成するサンプルデータそれぞれが、彩度及び明度を保持しつつ、基準半平面Ｒ上に移動するように補正するための補正データである離散補正ベクトルを算出し、補正ベクトル群として出力する。
【００２８】
図５において、制御装置２が色相角補正データ算出プログラム５を用いて、第１デバイスの色域を第２デバイスの色域にマッピングする処理（Ｓ１０）が示されている。ここで、例えば第１デバイスを制御装置２の表示部２２とし、第２デバイスを印刷装置４０−１とし、色域マッピングを行うデバイス非依存色空間をＬ＊ａ＊ｂ＊色空間とする。表示部２２の色空間は例えばＲＧＢであり、印刷装置４０−１の色空間は例えばＣＭＹＫである。
【００２９】
図５に示すように、ステップ１００（Ｓ１００）において、制御装置２は、例えば色域マッピングの元とする第１デバイスの色域を表示部２２の色域に設定する。
【００３０】
ステップ１０２（Ｓ１０２）において、制御装置２は、プロファイルデータベース６０から表示部２２のプロファイルを受け入れ、等色相データベース６２から等色相データを受け入れることにより、第１デバイスの色域に対応するＬ＊ａ＊ｂ＊色空間の複数の等色相曲面データを取得する。
【００３１】
ステップ１０４（Ｓ１０４）において、制御装置２は、例えばユーザによる指定に応じて、等色相曲面データの最高彩度のサンプルデータと無彩色軸上の色データとの間の彩度（中彩度）を有するサンプルデータのいずれかを、等色相曲面データそれぞれから１つづつ選択する。
【００３２】
ステップ１０６（Ｓ１０６）において、制御装置２は、中彩度データ選択部５２により選択されたサンプルデータと無彩色軸とを含む半平面を、補正のための基準半平面Ｒとしてそれぞれ設定する。
【００３３】
ステップ１０８（Ｓ１０８）において、制御装置２は、等色相曲面データを構成するサンプルデータそれぞれが、彩度及び明度を保持しつつ、基準半平面Ｒ上に移動するように補正するための補正データである離散補正ベクトルを算出し、補正ベクトル群としてそれぞれ出力する。
【００３４】
ステップ１１０（Ｓ１１０）において、制御装置２は、等色相曲面データ及び補正ベクトル群を用いて、等色相曲面上のサンプルデータそれぞれが基準半平面Ｒ上に移動するように、彩度及び明度を保持しつつ、サンプルデータそれぞれの色相角が選択データＱの色相角θと略同一になるようにそれぞれ補正する（色相角補正）。
【００３５】
ステップ１１２（Ｓ１１２）において、制御装置２は、色相角補正されたサンプルデータを第２デバイスの色域に属する色データにそれぞれマッピングする。
図６に示すように、制御装置２は、例えば第２デバイスの色域外にある色相角補正されたサンプルデータを無彩色軸に向けて圧縮（彩度を変更）し、第２デバイスの色域外郭の色データにマッピングする。また、第２デバイスの色域内にある色相角補正されたサンプルデータに対し、制御装置２は、例えば彩度の変更を行わない。
【００３６】
ステップ１１４（Ｓ１１４）において、制御装置２は、色相角補正されたサンプルデータそれぞれが彩度及び明度を保持しつつ、等色相曲面上に移動するようにそれぞれ逆補正する（色相角逆補正）。
図７に示すように、例えばＳ１１２の処理において、彩度を変更されなかったサンプルデータ（マッピング前から第２デバイスの色域内にあるサンプルデータ）は、色相角補正前の色データに戻される。また、マッピングにより彩度を変更された色データは、彩度及び明度を保持されつつ、等色相曲面上の色データに変更される。
ここで、色相角補正前の色データに戻されるサンプルデータは、色相角逆補正において、色相角補正に用いられた補正ベクトルの逆ベクトル（逆補正ベクトル）が用いられている。また、マッピングにより彩度を変更されたサンプルデータは、例えば制御装置２により、他のサンプルデータと色相が略同一の等色相曲面が等色相データベース６２から生成され、当該サンプルデータと彩度及び明度が略同一である等色相曲面上の色データに対する逆補正ベクトルが算出されて、他のサンプルデータが含まれる等色相曲面上の色データに変更される。
このように、色相角補正前のサンプルデータに対応するマッピングされた色データが色相角逆補正データとしてそれぞれ構成される。
【００３７】
ステップ１１６（Ｓ１１６）において、制御装置２は、プロファイルデータベース６０から印刷装置４０−１のプロファイルを受入れて、色相角逆補正データをＬ＊ａ＊ｂ＊色空間のデータからＣＭＹＫ色空間のデータにそれぞれ変換する。
【００３８】
このように、第１デバイスの色域（色再現域）を第２デバイスの色域にマッピングする場合に、複数の色相に対する基準半平面Ｒを設定し、複数の基準半平面Ｒそれぞれに対して色相角補正を行うことにより、第１デバイスの色データの色相を略保持し、知覚均等性を略保持して、容易に色域のマッピングをすることができる。
【００３９】
また、第１デバイスの色データ又は任意の色データ、及び第２デバイスの色データそれぞれに対して色相角補正を行って、第１デバイスの色域を第２デバイスの色域にマッピングするようにしてもよい。また、基準半平面Ｒは、色相歪が小さい領域の補正量を少なくするために、等色相曲面上の低彩度側の複数のサンプルデータからの距離の二乗和が最小となるように設定されてもよい。また、色相角補正及び色相角逆補正は、明度の変化を伴うものであってもよい。さらに、上記実施形態においては、デバイス非依存色空間をＬ＊ａ＊ｂ＊色空間（ＣＩＥＬＡＢ）としたが、これに限定されることなく、例えばＬ＊ｕ＊ｖ＊色空間（ＣＩＥＬＵＶ）であってもよい。
【図面の簡単な説明】
【００４０】
【図１】本発明の実施形態に係る色データ処理システムの概要を示す構成図である。
【図２】制御装置の構成を示す構成図である。
【図３】制御装置２により実行される色相角補正データ算出プログラム５の構成を示すプログラム構成図である。
【図４】色相角補正データ算出プログラム５による色データ処理例を示すＬ＊ａ＊ｂ＊表色系のａ＊ｂ＊平面例である。
【図５】制御装置２が色相角補正データ算出プログラム５を用いて、第１デバイスの色域を第２デバイスの色域にマッピングする処理（Ｓ１０）を示すフローチャートである。
【図６】第２デバイスの色域外にある色相角補正されたサンプルデータを無彩色軸に向けてマッピングするマッピング例を示すＬ＊ａ＊ｂ＊表色系のａ＊ｂ＊平面例である。
【図７】マッピングされたサンプルデータを、彩度及び明度を保持ちつつ、色相角補正前の等色相曲面上の色データに変更する変更例を示すＬ＊ａ＊ｂ＊表色系のａ＊ｂ＊平面例である。
【符号の説明】
【００４１】
１・・・色データ処理システム
２・・・制御装置
２０・・・入力部
２２・・・表示部
２４・・・記憶部
２４０・・・記録媒体
２６・・・通信部
２８・・・制御装置本体
２８０・・・ＣＰＵ
２８２・・・メモリ
３・・・ネットワーク
４・・・画像出力部
４０−１，４０−２・・・印刷装置
４２・・・表示装置
５・・・色相角補正データ算出プログラム
５０・・・等色相曲面データ取得部
５２・・・中彩度データ選択部
５４・・・基準半平面設定部
５６・・・離散補正ベクトル算出部
６０・・・プロファイルデータベース
６２・・・等色相データベース
【図１】
2006270518.tif 000003
【図２】
2006270518.tif 000004
【図３】
2006270518.tif 000005
【図４】
2006270518.tif 000006
【図５】
2006270518.tif 000007
【図６】
2006270518.tif 000008
【図７】
2006270518.tif 000009